(57)【要約】  発光ダイオード装置（１）は、基板（３）上に配された発光ダイオードチップ（２）と、発光ダイオードチップ（２）によって発光された光の少なくとも一部を別の波長の光に変換するよう構成され、この発光ダイオードチップ（２）を囲繞する色変換材料（７）とを含み、色変換材料（７）は反射体（８）によって側面が囲繞され、発光ダイオードチップ（２）から反射体（８）までの横方向距離は最大でも０．５mmである。
2008519444.tif 000002
【特許請求の範囲】
【請求項１】
基板上に配された発光ダイオードチップと、
発光ダイオードチップによって発光された光の少なくとも一部を別の波長の光に変換するよう構成され、この発光ダイオードチップの側面を囲繞するとともに上面を被覆する色変換材料と、
を含む発光ダイオード装置において、
前記色変換材料は反射体によって側面が囲繞され、前記発光ダイオードチップからこの反射体までの横方向距離は、最大でも０．５mmであることを特徴とする発光ダイオード装置。
【請求項２】
前記発光ダイオードチップ（２）から前記反射体（８）までの距離（ｘ）は、０．１mmから０．２mmの範囲内であることを特徴とする請求項１に記載の発光ダイオード装置。
【請求項３】
前記反射体（８）は、前記色変換材料（７）をその高さ全体に亘って囲繞することを特徴とする請求項１または請求項２に記載の発光ダイオード装置。
【請求項４】
前記反射体（８）は、垂直方向に向いていることを特徴とする請求項１乃至請求項３のいずれか１項に記載の発光ダイオード装置。
【請求項５】
前記発光ダイオードチップ（２）の上面を被覆する色変換材料（７）の厚さ（ｈ）は、少なくとも０．０５mmであることを特徴とする請求項１乃至請求項４のいずれか１項に記載の発光ダイオード装置。
【請求項６】
前記発光ダイオードチップ（２）の上面を被覆する色変換材料（７）の厚さ（ｈ）は、前記発光ダイオードチップ（２）と前記反射体（８）との間の距離（ｘ）よりも少なくとも０．０５mm大きいことを特徴とする請求項５に記載の発光ダイオード装置。
【請求項７】
前記発光ダイオードチップ（２）の上面を被覆する色変換材料（７）の厚さ（ｈ）は、最大で３mmであることを特徴とする請求項５または請求項６に記載の発光ダイオード装置。
【請求項８】
前記発光ダイオードチップ（２）から発光される光を視準する光学系を備えたことを特徴とする請求項１乃至請求項７のいずれか１項に記載の発光ダイオード装置。
【請求項９】
前記光学系は、前記発光ダイオードチップ（２）および前記色変換材料（７）を囲繞するレンズ（９）によって形成されることを特徴とする請求項８に記載の発光ダイオード装置。
【請求項１０】
前記光学系は、発光方向から見て、前記発光ダイオードチップ（２）の前面に配置されるレンズ（１１）によって形成されることを特徴とする請求項８に記載の発光ダイオード装置。
【請求項１１】
前記レンズ（１１）は、前記色変換材料（７）の表面から離間して配置されることを特徴とする請求項１０に記載の発光ダイオード装置。
【請求項１２】
前記レンズ（１１）は、エアギャップによって前記色変換材料（７）の表面から離間していることを特徴とする請求項１１に記載の発光ダイオード装置。
【請求項１３】
前記反射体（８）は金属製であることを特徴とする請求項１乃至請求項１２のいずれか１項に記載の発光ダイオード装置。
【請求項１４】
前記反射体（８）は、光を乱反射させることを特徴とする請求項１乃至請求項１２のいずれか１項に記載の発光ダイオード装置。
【請求項１５】
前記反射体はテフロン製であることを特徴とする請求項１４に記載の発光ダイオード装置。
【発明の詳細な説明】
【技術分野】
【０００１】
本発明は、請求項１の公知部分に記載されるように、発光ダイオードチップを有する発光ダイオード装置に関するものであり、この発光ダイオードチップは、少なくとも発光ダイオードチップが発する光の一部を他の波長の光に変換するのに用いる色変換材料によって囲繞される。
【背景技術】
【０００２】
本発明の背景は発光ダイオード、とりわけ「白色ＬＥＤ」と呼ばれる技術分野である。一般に発光半導体素子は特定の波長で光を発するので、直接白色光を発する半導体素子を製造することは実現されていない。代わりに、半導体素子は、例えば、緑、赤または青などの個別の波長の光を発するように構成される。しかしながら、白色光を生成させるために、従来技術では、色変換手段によって青色ＬＥＤの光を変換して、混光した白色光を得ることが公知である。したがって、通常は基板に埋め込まれた蛍光体が半導体素子、所謂ＬＥＤ素子（LED die）の周囲に配されている。青色光は、蛍光体によってＬＥＤ素子の周囲で吸収され、波長の長い光へと変換される。この蛍光体の長波長光と、発光ダイオードチップの露出青色光とを組み合わせて、混光した白色光が得られる。
【０００３】
しかしながら、従来技術から公知のＬＥＤ素子の周囲に配設した色変換材料の配置形体では、ＬＥＤチップを囲繞する色変換材料から発せられる光は均質的に白色ではなく、空間方向に応じて異なる色彩を有し且つ／または蛍光体層の表面で異なる発色をする。例えばレンズを用いて放射光の視準と結像を行うと、色彩の不均質性が増幅される。
【０００４】
このような不均質性の原因は、色変換された成分が蛍光体／基板の周囲を通る光の経路長に比例して増加することにある。通常は立方体または直方体に形成される発光ダイオードチップがあらゆる方向に光を発するので、光の均質な変換を実現することが非常に困難となる。これにより、不均質光発光領域から均質に白色光を実現させる結像光学システムでは、相当な不利益を被ることになる。したがって、従来の光学システムを備えた白色ＬＥＤは、典型的に不均質な白色に発光し、その結像は中心で青みを帯び、縁部では黄色がかった発色をする。
【０００５】
発光ダイオードチップが発する光を可能な限り均質に変換して、混光した白色光を得るための様々な装置が先行技術から公知である。２つの公知の構成を図５乃至図７に記載して、これらについて以下に簡単に述べる。
【０００６】
図５および図６に示す第１の公知の発光ダイオード装置１００は、基板１０２上に配された発光ダイオードチップ１０１を有する。基板１０２は、例えば、熱伝導性絶縁層１０３からなり、この熱伝導性絶縁層１０３の上側には導体通路１０４を有する導電層が位置し、さらにその上には、ＬＥＤ素子１０１が設けられている。ＬＥＤ素子は、発光ダイオードチップ１０１の上側に延びるボンディングワイヤ１０５によって、導体通路１０４から横方向に電気接触がなされる。
【０００７】
発光ダイオードチップ１０１が発する光を色変換するため、発光ダイオードチップ１０１は、色変換材料１０６が全面的に充填された半球形状の封止材によって囲繞される。このような構成では、半球形状の封止材を通った略均一に長い光線の経路を介して均一な表面色が実現される。屈折率ｎ≒１．４乃至１．６の封止材から屈折率ｎ＝１の空気へと屈折して出る光は、図６に示すように、非変換青色光の発光部分と、色変換材料１０６の蛍光体によって色が変換された色変換光の発光部分が局部的に均等化する。これにより、混光された光がその色に関して均質化される。
【０００８】
しかしながら、公知の構成では、発光ダイオードチップ１０１が実質的には点光源になると考える必要があり、発光ダイオードチップ１０１における発光領域よりも封止材をかなり大きくする必要がある。この事は、ひいてはこのようなシステムの画像化には非常に大きなレンズが必要になるという不利益を生じることになる。なぜなら、効率的に光を指向するためには、レンズに対しても発光面が略点光源として作用する必要があるからである。そのため、色彩の変換用に最小限使用可能な半球の大きさは、発光ダイオードチップ１０１の端部長さの約３倍から４倍となる。一方、レンズの大きさは、発光面の約１０倍から２０倍とする必要がある。
【０００９】
図６は、球状変換器の配置とその構成を含むレンズ１０７を用いた白色ＬＥＤの完全な構成を示す。光の結像には、制限された角度範囲の発光のみを利用することができるので、半球形状の変換器の場合、横方向の光の大きな損失が予想される。すなわち、発光特性に起因して、一定比率の光はレンズ１０７によって結像できないことになる。
【００１０】
しかしながら、半球形状に構成された光変換材料に代えて、図７に示すように、一定の厚さを有する被膜を用いる構成が提供されることもある。
【００１１】
初めに、第２変形例による公知の発光ダイオード装置１２０は、上述した構成と同様、絶縁層１２３からなる基板１２２上に配された発光ダイオードチップ１２１と、導体通路１２４を有する層とからなる。第１の公知の装置と同様に、発光ダイオードチップ１２１の上側に延びるボンディングワイヤ１２５によって、電気接触がなされる。
【００１２】
色変換材料１２６は、発光ダイオードチップ１２１の表面を一定の厚さで全面的且つ均一に被覆するように配設される。そして色変換材料１２６から放出される光線は、レンズ１２７によって視準される。
【００１３】
被膜を薄すぎる厚さに設定した場合、ＬＥＤチップ１２１の電極構造体が可視でき、小さな発光角度（例えば、１０°以下）で結像したものは、入射光照射野内で不規則に結像することになる。色変換材料１２６の層が非常に薄い場合には、電極構造体においても色彩が不均一になる。これは例えばチップ１２１の大部分が発光しない場合に相当する。
【００１４】
対照的に、被膜層の厚さが非常に厚い場合、層の縁部が他の色に発光する虞がある。しかしながら、少なくとも電極構造体を可視できることはなく、非発光電極構造体が大型であることに起因する色彩の不均質性という問題は解消される。
【００１５】
この公知の装置では、側面領域で発光される光線は、部分的にのみ結像に利用することができる。層の厚さが増加するにつれ、より多くの光が側面領域を通して発光され、利用可能な光の割当量はさらに減少する。従って、この公知の装置は、均質の白色発光の実現性と、光学系による白色結像の実現性に関して不利益を有することになる。
【００１６】
図５乃至図７に示す発光ダイオード装置の公知の構成の間では、多くの中間的な形状寸法があり得るが、実際には図６に示す発光ダイオード装置の構造高さのみが許容される大きさであるので、これらの中間形状寸法は実現されない。
【００１７】
国際公開公報ＷＯ０２／５０４７２Ａ１は、色変換材料を使用せずに白色光を発生させる可能性について記載している。この公開公報では、異なる色彩の幾つかの発光ダイオードチップが漏斗型反射体の基板面上に配された発光ダイオード装置について記載している。特別な構成の反射体とともに、異なる色彩の発光ダイオードチップの配置を用いることによって、発光ダイオードチップの光が全体として白色に混光される。しかしながら、この公知の構成は、それぞれ個別の発光ダイオードチップを使用することができる図５乃至図７に示した解決手段と比較すると、非常に複雑になる。
【発明の開示】
【発明が解決しようとする課題】
【００１８】
そのため本発明は、先行技術に関連して述べた不利益を解消するとともに、発光ダイオードチップから発光された光が色変換材料によって変換されて混光される発光ダイオード装置を実現することを目的とする。特に、従来の光学系を用いて、均質に結像し、色偏差のない表面発光白色光が提供される。
【課題を解決するための手段】
【００１９】
上述した目的は、請求項１の特徴を有する発光ダイオード装置によって達成される。本発明の有利な他の特徴は、従属項の要旨である。
【００２０】
したがって、基板上に配された発光ダイオードチップと、この発光ダイオードチップによって発光された光の少なくとも一部を別の波長の光に変換するよう構成され、該発光ダイオードチップを囲繞する色変換材料とを含む発光ダイオード装置が提案される。本発明によると、色変換材料は反射体によって側面が囲繞され、発光ダイオードチップから反射体までの距離は、最大でも０．５mmとなる。好ましくは、発光ダイオードチップと反射体との距離は、０．１mmから０．２mmの範囲内に制限される。
【００２１】
したがって、本発明によると、公知の色彩の不均質性を回避するため、色変換材料は、好ましくは垂直方向に配された反射体によって側面との境界が形成される。反射体または反射素子によってＬＥＤチップを囲繞することは既に公知であるが、公知の例では、発光ダイオードチップと反射体との距離は、本発明によって提供されるものよりもかなり大きくなる。その原因として先行技術では、反射素子が単独で設けられ、発光ダイオードチップによって発光された光を既に特定の方向にそろえている。しかしながら、本発明によると、反射体の主な目的は、混光された光の均質な発光を得るため、色変換材料を通る光の経路を最適化することである。
【００２２】
したがって、部分的にのみ使用可能で、反射レンズによって結像される横方向の光の発光は、最初に反射体によって除かれる。一方で、反射体を使用することにより、発光ダイオードチップの上方で色変換材料の層の厚さを厚くすることができる。そして層の厚さが増加したことにより、より良い光の混色が得られ、発光ダイオードチップの可能な電極構造では、色変換材料を通したようには見えない。他の利点としては、反射体によって、結像する領域の大きさを可能な限り小さくすることができるので、使用できる光学系、特にレンズの構造的な大きさも制限範囲内に収めることができる。
【００２３】
発光ダイオードチップの上面を被覆する色変換材料は、好ましくは少なくとも０．０５mmの厚さであり、これにより、特に厚さが発光ダイオードチップと反射体との間の距離よりも少なくとも０．０５mm大きくなる構成が提供される。
【００２４】
上述したように、好ましくは、発光ダイオードチップから発光される光を視準する光学系を備える。一方で、この光学系は、発光ダイオードチップおよび色変換材料を囲繞するレンズでも良い。しかしながら他方で、発光方向から見て、発光ダイオードチップの前面に配置されるレンズを用いることも可能である。特定の好適な実施形態によると、特にエアギャップによって、レンズを色変換材料の表面から離間して配置することができる。以下に詳細を説明するように、この特別な構成を介して、特に優れた混光と、それによる均質な色彩の発光が得られる。
【００２５】
好ましくは、色変換材料をその高さ全体に亘って囲繞する反射体は、金属製でも良い。しかしながら、例えば、テフロンまたは他の好適な材料を使用して、光を乱反射する反射体を形成することも考えられる。
【００２６】
添付の図面を参照して、以下、本発明をより詳細に説明する。
【発明を実施するための最良の形態】
【００２７】
初めに、図１に示し、参照符号１を付した発光ダイオード装置は、好ましくは青色光を発光する発光ダイオードチップ２を有しており、この発光ダイオードチップ２は、絶縁層４と、導体通路５を有する導電層とを含む基板３の上に配され、発光ダイオードチップ３との電気的な接触を行うため、これらの導体通路からチップの上面へとボンディングワイヤが延びる。基板３は、他の方法によって構成することも可能である。特に、発光ダイオードチップ２からの効率的な熱の放出を可能にする特定の手段を用いることもできる。
【００２８】
発光ダイオードチップ２から発光された光を混光された白色光に変換するため、色変換材料７が設けられる。色変換材料７は発光ダイオードチップ２を囲繞するとともに、少なくとも光の一部を他の波長の光に変換する色変換粒子、特に蛍光体を有する。本発明によると、発光ダイオードチップ２および色変換材料７は、例えば、光を乱反射するように構成された金属製の反射体またはその他により形成できる反射壁８によって囲繞される。乱反射させるため、例えば、テフロンまたは硫酸バリウム等が使用される。公知の発光ダイオード装置とは異なり、反射壁８が０．５mm以下の距離で発光ダイオードチップ２の周囲に設けられている。最適には発光ダイオードチップ２の側面からの距離は、約０．１mmから０．２mmである。
【００２９】
好適には垂直方向に配向された反射壁８により、発光ダイオードチップ２から側方に放射された光が偏向され、先ず発光領域の大きさが反射体８の上部開口の大きさに制限される。さらに、発光ダイオードチップ２から側方へと放出する光は、周囲の色変換材料７内で部分的に変換されるか、或いは白色分光分布を有して色変換材料７の上面で放出するまで、蛍光体粒子を介して第１通路で吸収および変換されなかった成分が反射壁８で反射して逆方向に進む。
【００３０】
ＬＥＤチップ２と、色変換材料７と、反射体８とからなる装置は、この装置を内包するレンズ９によって形成された光学系により、最終的に囲繞される。レンズ９は、上部領域内のみに湾曲面を有するように構成され、色変換材料７の上面で放出した光を所望の方法で結像させる。しかしながら、レンズの下部円筒形状領域は光学機能を何も有していない。なぜなら発光領域の限界に起因して、反射体８を利用しても、これらの領域で光が放出することはないからである。したがって、反射体８によりレンズを非常に簡単に且つコンパクトに構成することができ、一方使用時には、発光ダイオードチップから発光され、適用可能な場合には、色発光材料７により変換された光を完全に結像させることができる。しかしながら、本発明による発光ダイオード装置では、不要な混光色を含み結果として使用できないような側方で放出する光はなくなる。
【００３１】
本発明による発光ダイオード装置１の特定の寸法は、本発明の第２実施形態による発光ダイオード装置の一部を示す図２を参照することで明確になる。この図からわかるように、発光ダイオードチップ２の側面と反射体８との距離は符号ｘで示され、発光ダイオードチップ２の上面から色変換材料７の上面までの距離は符号ｈで示される。既に上述したように、本発明では、発光ダイオードチップと反射体８との間の距離ｘが小さい値、すなわち最大で０．５mm、好ましくは０．１mmから０．２mmの範囲に選択される。しかしながら、色変換材料７の高さｈは少なくとも０．０５mmとなり、好ましくは最小高さとしては、ｈmin＝０．０５mm＋ｘとなるように選択する。一方、高さが高くなる程混光して生成された光が最適化されるので、原則は色変換層の高さｈの上限がないことになる。既に冒頭で述べたように、発光ダイオードチップ２から発光された光の変換確率は、色変換材料７を介した光の経路長に正比例する。そのため均質な発光を実現するために、できる限り厚さを厚くする必要がある。しかしながら、発光ダイオード装置の全体構成をできる限りコンパクトで平坦にすることも所望されるために、製造技術上の理由から、好適には厚さｈの上限は３mmに選択される。
【００３２】
図２に示す構成を図１に示す第１実施形態の発光ダイオード装置と比較した相違点は、発光ダイオードチップ２の電気的な接触がボンディングワイヤによって行われないことである。代わりに、チップ２は図示した構成において「フェイスダウン」、すなわち逆向きに配置される。この例では、電気的な接触は所謂バンプ１０によって行われる。バンプ１０は、導体通路５とチップ２の表面との間で直接的に層の接触を行う。しばしばフリップチップ技術として説明される、このような基板３上に設けた発光ダイオードチップ２の配置によっても、特に達成できる光の強度に関して利点が得られる。なぜならこの組立て技術によって、改善された光が得られるからである。とりわけこの事は、ボンディングワイヤを必要としないことで影のない発光面を得ることができるものとして説明される。発光ダイオード装置の完全な構成が図３に示されており、この図においては、発光ダイオードチップ２と色変換材料７が反射体８により囲繞され、さらにこの反射体８がレンズ装置９によって囲繞される。
【００３３】
上述した本発明による２つの実施形態では、色変換材料７と反射体８は、レンズ９を形成する光学系によって直接内包される。図４（ａ）および（ｂ）は、本発明の第３実施形態による発光ダイオード装置１を示す。この実施形態では、色変換材料７の表面から離間して配設された所謂補助レンズ１１が使用される。初めに、発光ダイオード装置１は、図３に示す実施形態と同一の構成要素を有しており、同一要素には同一の参照符号が付されている。しかしながら、導体通路５を有する導電層の表面には、さらにスペーサ１２が設けられており、その上面に補助レンズ１１が配置されている。例えば、他の絶縁層によって形成できるスペーサ１２の高さは、小さなエアギャップ１３によって補助レンズ１１が色変換材料７から離間されるように選択される。これにより、色変換材料７の上面からの光を特に効率的に結像することが可能となる。
【００３４】
すなわち、色変換材料７の上面を通して放出する光は、エアギャップ１３を介して補助レンズ１１と結ばれる。色変換剤７から放出する際、蛍光体材料による制御と、蛍光体基板材料から空気への屈折率の遷移に起因して、光はランバートの法則（Lamber）に従って分配される。すなわち光は、すべての方向に実質的に等しい大きさで発光される。次に、補助レンズ１１に入光する際のこの分配は、補助レンズ１１の屈折率がｎ＝１．５である場合、レンズの屈折率に対応して、例えば±４１．８°の範囲に視準される。この効果は図４（ｂ）に示されている。レンズ１１から放出する際、例えば４０°のレンズの場合には、光線は最大２１．８度で屈折する。このような構成は、コストを大幅に増加させることなく実現可能で、特に大きな損失もなく実行することができる。
【００３５】
従って、反射体によって側面が囲まれた色変換材料を含む図示した構成は、フレネル反射を除くと、略１００％で光を結像する可能性を提供する。これにより、先行技術と比較して、所望の目標領域内で有益な光の成分を大幅に増加させることが可能となる。同時により効果的な混光を実現することができ、これによりレンズまたは他の公知の光学系によって、混光される白色光を効果的な方法で均質に結像させることが可能となる。
【図面の簡単な説明】
【００３６】
【図１】本発明による発光ダイオード装置の第１実施形態を示す。
【図２】色彩の変換に用いる色変換材料の配置寸法を説明する略図である。
【図３】本発明による発光ダイオード装置の第２実施形態を示す。
【図４】本発明による発光ダイオード装置の第３実施形態を示す。
【図５】先行技術による発光ダイオード装置を示す。
【図６】先行技術による発光ダイオード装置を示す。
【図７】先行技術による発光ダイオード装置を示す。
【図１】
2008519444.tif 000003
【図２】
2008519444.tif 000004
【図３】
2008519444.tif 000005
【図４】
2008519444.tif 000006
【図５】
2008519444.tif 000007
【図６】
2008519444.tif 000008
【図７】
2008519444.tif 000009
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
基板上に配された発光ダイオードチップと、
発光ダイオードチップによって発光された光の少なくとも一部を別の波長の光に変換するよう構成され、この発光ダイオードチップの側面を囲繞するとともに上面を被覆する色変換材料と、
を含む発光ダイオード装置において、
前記色変換材料は反射体によって側面が囲繞され、前記発光ダイオードチップからこの反射体までの横方向距離は、０．１mmから０．５mmであることを特徴とする発光ダイオード装置。
【請求項２】
前記発光ダイオードチップ（２）から前記反射体（８）までの距離（ｘ）は、０．１mmから０．２mmの範囲内であることを特徴とする請求項１に記載の発光ダイオード装置。
【請求項３】
前記反射体（８）は、前記色変換材料（７）をその高さ全体に亘って囲繞することを特徴とする請求項１または請求項２に記載の発光ダイオード装置。
【請求項４】
前記反射体（８）は、垂直方向に向いていることを特徴とする請求項１乃至請求項３のいずれか１項に記載の発光ダイオード装置。
【請求項５】
前記発光ダイオードチップ（２）の上面を被覆する色変換材料（７）の厚さ（ｈ）は、少なくとも０．０５mmであることを特徴とする請求項１乃至請求項４のいずれか１項に記載の発光ダイオード装置。
【請求項６】
前記発光ダイオードチップ（２）の上面を被覆する色変換材料（７）の厚さ（ｈ）は、前記発光ダイオードチップ（２）と前記反射体（８）との間の距離（ｘ）よりも少なくとも０．０５mm大きいことを特徴とする請求項５に記載の発光ダイオード装置。
【請求項７】
前記発光ダイオードチップ（２）の上面を被覆する色変換材料（７）の厚さ（ｈ）は、最大で３mmであることを特徴とする請求項５または請求項６に記載の発光ダイオード装置。
【請求項８】
前記発光ダイオードチップ（２）から発光される光を視準する光学系を備えたことを特徴とする請求項１乃至請求項７のいずれか１項に記載の発光ダイオード装置。
【請求項９】
前記光学系は、前記発光ダイオードチップ（２）および前記色変換材料（７）を囲繞するレンズ（９）によって形成されることを特徴とする請求項８に記載の発光ダイオード装置。
【請求項１０】
前記光学系は、発光方向から見て、前記発光ダイオードチップ（２）の前面に配置されるレンズ（１１）によって形成されることを特徴とする請求項８に記載の発光ダイオード装置。
【請求項１１】
前記レンズ（１１）は、前記色変換材料（７）の表面から離間して配置されることを特徴とする請求項１０に記載の発光ダイオード装置。
【請求項１２】
前記レンズ（１１）は、エアギャップによって前記色変換材料（７）の表面から離間していることを特徴とする請求項１１に記載の発光ダイオード装置。
【請求項１３】
前記反射体（８）は金属製であることを特徴とする請求項１乃至請求項１２のいずれか１項に記載の発光ダイオード装置。
【請求項１４】
前記反射体（８）は、光を乱反射させることを特徴とする請求項１乃至請求項１２のいずれか１項に記載の発光ダイオード装置。
【請求項１５】
前記反射体はテフロン製であることを特徴とする請求項１４に記載の発光ダイオード装置。
【国際調査報告】
2008519444.tif 000010
2008519444.tif 000011
2008519444.tif 000012
2008519444.tif 000013
2008519444.tif 000014
2008519444.tif 000015